(57)【要約】  複数のサブフレームで構成されている無線フレームを含む無線インターフェイスを利用する無線通信システムにおいて、自セルのネットワーク装置は動作している。自セルは１以上のユーザ機器にサービス提供する。動作には、１以上の隣接するセルにおけるＭＢＳＦＮのデータ送信のスケジューリングに関する情報を取得することが含まれる。それによって取得された当該情報は、所与のサブフレームについてＯＦＤＭ（Orthogonal  Frequency  Division  Multiple  access）シンボルのユニキャストグループを使用して隣接するセルの測定を実行できるか否かを１以上のユーザ機器が決定することを可能とする情報信号を生成するために使用される。当該情報信号は１以上のユーザ機器へ送信され、その結果ユーザ機器は、隣接するセルの測定を行う際、セル固有のリファレンスシンボルをどのように発見するかを決定するためにその情報を使用することができる。【選択図】図５
2010524294.tif 000002
【特許請求の範囲】
【請求項１】
無線フレーム（１００）を含む無線インターフェイスを利用する無線通信システムにおける自セルのネットワーク装置（５０１）を動作させる方法であって、各無線フレーム（１００）は複数のサブフレームを含み、前記自セルは１以上のユーザ機器（５０３）にサービス提供しており、当該方法は：
１以上の隣接するセルにおけるＭＢＭＳ（Multimedia  Broadcast  Multicast  Service）の単一周波数ネットワーク（ＭＢＳＦＮ）のデータ送信のスケジューリングに関する情報を取得するステップ（７０１）と；
前記１以上の隣接するセルにおけるＭＢＳＦＮのデータ送信の前記スケジューリングに関する前記情報を使用して、所与のサブフレームについて、ＯＦＤＭ（Orthogonal  Frequency  Division  Multiple  access）シンボルのユニキャストグループを使用して隣接するセルの測定を実行することができるか否かを前記１以上のユーザ機器（５０３）が決定することを可能とする情報信号を生成するステップ（７０３）と；
前記１以上のユーザ機器（５０３）に前記情報信号を送信するステップ（７０５）と；
を特徴とする方法。
【請求項２】
前記所与のサブフレームは、第１及び第２スロットから成り；
前記ＯＦＤＭシンボルのユニキャストグループは、前記第１及び第２スロットのそれぞれの１番目及び最後から３番目のＯＦＤＭシンボルから成る；
請求項１に記載の方法。
【請求項３】
前記ネットワーク装置（５０１）は、ネットワークノード群の階層におけるノードであり；
１以上の隣接するセルにおけるＭＢＳＦＮのデータ送信の前記スケジューリングに関する前記情報を取得するステップ（７０１）は、前記無線ネットワークにおける階層上の上位のノード（５１１）から、１以上の隣接するセルにおけるＭＢＳＦＮのデータ送信の前記スケジューリングに関する前記情報を取得することを含む；
請求項１又は請求項２のいずれか１項に記載の方法。
【請求項４】
前記ネットワーク装置（５０１）は、無線基地局である、請求項１〜３のいずれか１項に記載の方法。
【請求項５】
１以上の隣接するセルにおけるＭＢＳＦＮのデータ送信の前記スケジューリングに関する前記情報を取得するステップ（７０１）は、隣接するセル（５１３）の無線基地局から、１以上の隣接するセルにおけるＭＢＳＦＮのデータ送信の前記スケジューリングに関する前記情報を取得することを含む、請求項１又は請求項２のいずれか１項に記載の方法。
【請求項６】
前記隣接するセル（５１３）の前記無線基地局から、１以上の隣接するセルにおけるＭＢＳＦＮのデータ送信の前記スケジューリングに関する前記情報を取得すること（７０１）は、Ｘ２インターフェイス上のシグナリングを使用することを含む、請求項５に記載の方法。
【請求項７】
無線フレーム（１００）を含む無線インターフェイスを利用する無線通信システムのサービス提供セルに位置しているユーザ機器（５０３）を動作させる方法であって、各無線フレーム（１００）は複数のサブフレームを含み、当該方法は：
所与のサブフレームについて、ＯＦＤＭ（Orthogonal  Frequency  Division  Multiple  access）シンボルのユニキャストグループを使用して隣接するセルの測定を実行することができるか否かを前記ユーザ機器（５０３）が決定することを可能とする情報信号を、前記サービス提供セルのネットワーク装置（５０１）から受信するステップ（７０７）と；
前記受信した情報信号を使用して、前記隣接するセルによって送信される信号上での測定を実行する際、ユニキャスト測定モード（７１１）及びＭＢＳＦＮ測定モード（７１３）を含む複数の測定モードのうちのいずれにより前記ユーザ機器が動作するかを決定するステップ（７０９）と；
を特徴とする方法。
【請求項８】
前記所与のサブフレームは、第１及び第２スロットから成り；
前記ＯＦＤＭシンボルのユニキャストグループは、前記第１及び第２スロットのそれぞれの１番目及び最後から３番目のＯＦＤＭシンボルから成り；
ＯＦＤＭシンボルのＭＢＳＦＮグループは、前記第１スロットの前記１番目のＯＦＤＭシンボルから成る；
請求項７に記載の方法。
【請求項９】
前記測定のＭＢＳＦＮ測定モードは、前記所与のサブフレームにおける前記ＯＦＤＭシンボルのＭＢＳＦＮグループ上のみで測定を行うことを含む、
請求項８に記載の方法。
【請求項１０】
前記測定のＭＢＳＦＮ測定モードは、隣接するセルの測定が実行され得る最大許容帯域幅に関する情報を前記自セルから受信することと；
前記最大許容帯域幅上で前記隣接するセルのＭＢＳＦＮサブフレームの測定を実行することと；
を含む、請求項８に記載の方法。
【請求項１１】
前記測定のＭＢＳＦＮ測定モードは、ＯＦＤＭシンボルのＭＢＳＦＮグループに前記隣接するセルの前記セル固有のリファレンスシンボルが位置しているいずれかの所与のサブフレームの期間において測定を行わないことを含む、請求項７及び請求項８のいずれか１項に記載の方法。
【請求項１２】
無線通信システムにおけるセルのネットワーク装置であって、前記セルは１以上のユーザ機器にサービス提供し、当該ネットワーク装置は、請求項１〜６のいずれか１項に従った前記方法を実行するための手段を含むことを特徴とする、ネットワーク装置。
【請求項１３】
請求項７〜１１のいずれか１項に従った前記方法を実行するための手段を含むことを特徴とする、無線通信システムのサービス提供セルに位置するユーザ機器。
【発明の詳細な説明】
【技術分野】
【０００１】
本発明は、通信システムにおける方法及び構成に関し、特に１以上のＭＢＭＳの単一周波数ネットワークを含み得る、又は含み得ない移動通信環境において、セル固有のリファレンスシンボル上での測定をサポートするための方法及び構成に関する。
【背景技術】
【０００２】
ＧＳＭ（Global  System  for  Mobile  Communication）及びＷＣＤＭＡ（Wideband  Code  Division  Multiple  Access）のような移動体セルラー標準の来るべき進化において、ＯＦＤＭ（Orthogonal  Frequency  Division  Multiplexing）のような新しい伝送技術が現れようとしている。さらに、既存のセルラーシステムから既存の無線領域における新しい高容量高データレートシステムへ円滑に移行するために、新システムは、サイズの変化する帯域幅を利用できなければならない。第三世代ＬＴＥ（3G  LTE：Third  Generation  Long  Term  Evolution）と呼ばれるこのような新しい柔軟なセルラーシステムについての提案は、３Ｇ  ＷＣＤＭＡ標準の進化版として理解され得る。当該システムは、ダウンリンクにおける多重アクセス技術としてＯＦＤＭを使用し（ＯＦＤＭＡと呼ばれる）、１．２５ＭＨｚから２０ＭＨｚにわたる帯域幅において動作することが可能になるであろう。さらに、１００Ｍｂ／ｓまでのデータレートが、最大帯域幅についてサポートされるであろう。しかしながら、３Ｇ  ＬＴＥは、高レートサービスのためだけでなく、音声のような低レートサービスのためにも使用されるであろうと期待される。３Ｇ  ＬＴＥはＴＣＰ／ＩＰ（Transmission  Control  Protocol/Internet  Protocol）のために設計されているため、ＶｏＩＰ（Voice  over  IP）は、恐らく音声を伝達するそのサービスになるであろう。
【０００３】
３Ｇ  ＬＴＥシステムの物理層は、１０ｍｓの持続期間（duration）を有する一般無線フレーム（generic  radio  frame）を含む。図１ａは、ＬＴＥのＦＤＤ（Frequency  Division  Duplex）システムについての１つのそうしたフレーム１００を示している。各フレームは（０から１９までの番号を付与された）２０のスロットを有し、各スロットは、通常７ＯＦＤＭシンボルから成る０．５ｍｓの持続期間を有する。サブフレームは、２つの隣接したスロットで構成されており、そのために通常１４ＯＦＤＭシンボルから成る１ｍｓの持続期間を有する。ＬＴＥのダウンリンク送信はＯＦＤＭを基礎としているため、これは１ＯＦＤＭシンボル内でデータが多数の狭帯域サブキャリア上を並行して送信されることを意味する。そのため、図１ｂに示されているようにダウンリンク送信は時間／周波数グリッドとして説明することが可能であり、ここで各リソースエレメント又はシンボルは、１つのＯＦＤＭシンボルの間の１つのＯＦＤＭサブキャリアに対応する。ＬＴＥシステムについて、隣接するサブキャリア間の間隔は１５ｋＨｚであり、（２０ＭＨｚの送信帯域の場合）サブキャリアの総数は１２００にもなり得る。また、図１ｂに示されているように、サブキャリアはリソースブロックにグループ化され、ここで各リソースブロックは、１つの０．５ｍｓスロットの間に、１２のサブキャリアから成る。１スロットあたり７ＯＦＤＭシンボルを有するため、リソースブロックには合計１２ｘ７＝８４のリソースエレメントが存在する。１つのそうしたリソースブロックは、図１ｂにおいて斜線領域で示されている。
【０００４】
ＬＴＥのＴＤＤ（Time  Division  Duplex）システムについての無線フレームは、ＦＤＤシステムについて上述したものと少し相違はあるものの同様である。ＴＤＤシステムにおいて、サブフレーム１及び７は２つのスロットから成るのではなく、３つのフィールド（ＤｗＰＴＳ、ガード期間（Guard  Period）及びＵｐＰＴＳ）から成る。次の議論も本発明も、ＦＤＤ及びＴＤＤシステムの両方に適応可能である。
【０００５】
各リソースブロック内には、リファレンスシンボルとしても知られ、既知の値に設定されている一組のリソースエレメントが存在する。図２においてこれらが示されている。リファレンスシンボルは、例えばユーザ機器（ＵＥ）によって、コヒーレント検出を目的としてダウンリンクチャネルを評価するために使用され得る。またリファレンスシンボルは、後述されているようにＬＴＥの移動性機能（mobility  function）の一部としても使用される。
【０００６】
図２に見られるように、各リソースブロック内には４つのリファレンスシンボルがあり、うち２つのリファレンスシンボル（Ｒ１と表示されている）は１番目のＯＦＤＭシンボル内に、２つのリファレンスシンボル（Ｒ２と表示されている）は最後から３番目のＯＦＤＭシンボル内にある。従って、１つのサブフレームに相当する一組のリソースブロック内には、合計８つのリファレンスシンボルがあり、サブフレームの第１スロットに相当する第１のリソースブロック内には４つのリファレンスシンボル、サブフレームの第２スロットに相当する第２のリソースブロック内には４つのリファレンスシンボルが存在する。
【０００７】
ＬＴＥの１つの重要な観点は、移動性機能である。故に、ＵＥが他セルをサーチし、検出し、及び同期するための手続が提供されている。セルサーチ及び同期の手続を促進するため、ＬＴＥはプライマリ同期信号及びセカンダリ同期信号（それぞれ、Ｐ−ＳｙＳ及びＳ−ＳｙＳ）を定義しており、これら信号はそれぞれプライマリ同期チャネル（Ｐ−ＳＣＨ：Primary  Synchronization  Channel）及びセカンダリ同期チャネル（Ｓ−ＳＣＨ：Secondary  Synchronization  Channel）上を送信される。Ｐ−ＳｙＳ及びＳ−ＳｙＳは、フレームあたりそれぞれ２回送信され：図１に示されているように、１回目はサブフレーム０において、再度サブフレーム５において送信される。
【０００８】
ＬＴＥについてのセルサーチスキームは、次のステップから成ると仮定することができる：
１．その時点では未知のセルグループ内において、５ｍｓのタイミング及びセルＩＤを示す、３つのＰ−ＳｙＳシンボルの候補のうちの１つを検出する。
２．Ｓ−ＳｙＳを使用してフレームタイミング及びセルグループを検出する。ステップ１からの結果と組み合わせると、これは完全なセルＩＤを示す。
３．そのセルＩＤを検証するためリファレンスシンボルを使用する。関心のある読者は、この提案に関するさらなる情報について、２００６年１０月９〜１３日のＴＳＧ−ＲＡＮ  ＷＧｌ  ＃４６ｂｉｓにおける“Outcome  of  cell  search  drafting  session”と題された文書Ｒ１−０６２９９０、を参照されたい。
４．セル固有のシステム情報を受信するために、ブロードキャストチャネル（ＢＣＨ）を読む。
【０００９】
一旦セルが発見されたら、ＵＥはリファレンスシンボルの測定された受信電力をセル選択及びハンドオーバ決定への入力として使用し得る。
【００１０】
またＬＴＥシステムは、拡張サイクリックプレフィクス長を利用する動作モードも有している。この場合、各スロットは７シンボルではなく６シンボル（すなわちサブフレームあたり１２ＯＦＤＭシンボル）を含む。オーバヘッドの観点からはこれはより非効率であるが、非常に広域に遅れが広がっている特別な環境（例えば、非常に大きなセル）において、より長いサイクリックプレフィクスは有益であり得る。リファレンスシンボルはやはり各スロットにおいて１番目及び最後から３番目のＯＦＤＭシンボルに分布しており、ユニキャスト動作における拡張サイクリックプレフィクスの場合、これは、通常のサイクリックプレフィクス長の場合のように１番目及び５番目ではなく、１番目及び４番目のシンボルにあることがわかる。
【００１１】
ユニキャスト動作に加えて、ＬＴＥの無線アクセスネットワークもまたＭＢＭＳ（Multimedia  Broadcast  Multicast  Service）の単一周波数ネットワーク（ＭＢＳＦＮ）の動作を使用するダウンリンクＭＢＭＳ送信の可能性を含む。ＬＴＥにおいて、ＭＢＭＳの単一周波数ネットワークは、同じリソースブロック内の同一のＭＢＭＳ情報を同期して（すなわち、同じグループのサブキャリアを同時に）送信するように複数の基地局又はｅＮｏｄｅＢ（evolved  Node  B）を有し、同一のトランスポートフォーマット（すなわち、同一の符号化レート及び変調スキーム）を使用することにより実装されている。そのためＭＢＳＦＮ送信の場合、ＭＢＳＦＮ送信に関与する異なるｅＮｏｄｅＢからの送信は同一となるであろう。結果として、ユーザ機器はＯＦＤＭのサイクリックプレフィクスにわたる時間内に受信する全てのＭＢＳＦＮ送信のエネルギーを同時に受信し利用することが可能となるであろう。このことにより、ＭＢＭＳの受信品質が大幅に改善され、そのため全体のＭＢＭＳシステムの性能が改善されるであろう。ＭＢＳＦＮに基づくＭＢＭＳ送信に関与するセルの組は、ＭＢＳＦＮエリアと呼ばれる。
【００１２】
単一セルが、異なるセルの組；すなわち、部分的にのみ異なる重ならないＭＢＳＦＮエリア、に対応する異なるＭＢＳＦＮ送信に関与してもよいことに留意すべきである。その結果そのような異なるＭＢＳＦＮエリアに対応する異なるＭＢＳＦＮ送信は、異なるサブフレームにおいて行われることになる。
【００１３】
ＭＢＭＳデータの送信のためのＭＢＳＦＮ動作に関連して、３ＧＰＰ（3rd  Generation  Partnership  Project）は複数の定義に合意している。図３にこれら概念が示されており、次のように定義されている：
【００１４】
・マルチセルのＭＢＭＳ同期エリア３０１は、同一の周波数帯域上に割り当てられるカバレッジの隣接するセルの一群から成り、当該カバレッジエリア内では、全てのセルが同期してＭＢＳＦＮモードでＭＢＭＳデータを送信する可能性を有することができる。マルチセルのＭＢＭＳ同期エリア３０１は、ＭＢＭＳのサービスエリアの構成から独立して構成されてもよく、１以上のＭＢＳＦＮエリア（定義については下記参照）をサポートすることが可能である。所与の地理的エリア及び所与の周波数帯域についてマルチセルのＭＢＭＳ同期エリア３０１をただ１つ定義することが許されている（すなわち、同じ地理的エリアにおける複数のマルチセルのＭＢＭＳ同期エリアは、異なる周波数帯域上に定義されなければならない）。
【００１５】
ＭＢＭＳの単一周波数ネットワークエリア（ＭＢＳＦＮエリア）３０３は、カバレッジエリアの隣接するセルの一群から成り、ここでこれら全てのセルは、単一のＭＢＭＳサービスを同期して送信するために同じ無線リソース（従って同じ周波数帯域）を使用している。ＭＢＳＦＮエリア３０３は、ただ１つのマルチセルのＭＢＭＳ同期エリア３０１に属する。ＭＢＳＦＮエリア３０３は、ある時点においてアクティブに伝送を行っているセルのみから成る。
【００１６】
・最大ＭＢＳＦＮエリア３０５は、ＭＢＳＦＮエリア３０３についてサポートされる最大限拡張された地理的エリアである。これは、マルチセルのＭＢＭＳ同期エリア３０１、ＭＢＭＳサービスエリア（すなわち、恐らく複数のＭＢＳＦＮエリア３０３から構築されることにより、ＭＢＭＳサービスが提供され得るエリア）、及び事業者の構成によって制限され得る。
【００１７】
・ＭＢＳＦＮガードエリア３０７は、干渉を考慮することにより、近隣のＭＢＳＦＮエリア３０３と同じ無線リソースを使用することを制限されているセルの一群である。
【００１８】
ＬＴＥは、いわゆる“混合動作（mixed  operation）”において同じキャリアを使用するＭＢＳＦＮ送信及び非ＭＢＳＦＮ（non-MBSFN）送信の両方を可能にする。混合動作において、いくつかのサブフレームはＭＢＳＦＮ送信のために使用され（いわゆる“ＭＢＳＦＮサブフレーム”）、残りのサブフレームは非ＭＢＳＦＮ送信のために使用される（いわゆる“非ＭＢＳＦＮサブフレーム”又は“ユニキャストサブフレーム”）。しかしながら、Ｐ−ＳｙＳ及びＳ−ＳｙＳを含むサブフレーム０及び５は、常に非ＭＢＳＦＮサブフレームである。
【００１９】
リファレンスシンボルは、ＬＴＥシステムのダウンリンクにおいて、ユニキャストデータの復調及び制御シグナリング、並びに測定目的のために使用される。これらのリファレンスシンボルは、通常隣接するセルによって異なる（すなわち、これらはセル固有である）。しかしながら、ＬＴＥ無線アクセスネットワークがＭＢＳＦＮ送信を含む場合、追加的なリファレンスシンボルがＭＢＳＦＮ送信を伴うサブフレームにおいて（すなわち、ＭＢＳＦＮサブフレームにおいて）送信される。ＭＢＳＦＮリファレンスシンボルと呼ばれ得るこれらリファレンスシンボルは、ＭＢＳＦＮ送信に関与する全てのセルについて同一である（すなわち、セル共通）。ＭＢＳＦＮリファレンスシンボルを使用することによって、ＵＥはＭＢＳＦＮ送信に関与する全てのセルから集まったチャネルを評価することが可能である。このチャネル評価は、合成されたＭＢＳＦＮ送信のコヒーレント検出のために使用され得る。
【００２０】
図４は、全体のリファレンスシンボルの構造を含む、ＬＴＥにおけるＭＢＳＦＮサブフレームの全体の構造を示す。この図において、ＭＢＳＦＮリファレンスシンボルは“ＲＭ”と表示され、ユニキャストリファレンスシンボルは“ＲＵ”と表示されている。リファレンスシンボルのオーバヘッドを最小化するため、ＭＢＳＦＮサブフレームにおいてユニキャストリファレンスシンボルは、サブフレームの第１スロットの第１ＯＦＤＭシンボルにおいてのみ送信される（“ＯＦＤＭシンボルのＭＢＳＦＮグループ”）。非ＭＢＳＦＮサブフレームがサブフレームの第１及び第２スロットのそれぞれにおいてスロットごとに第１及び第２リファレンスシンボルを含むことを想起すると、ＭＢＳＦＮサブフレームにおいて送信されるユニキャストリファレンスシンボルの数が削減されていることが理解され得る。
【００２１】
（例えば、ハンドオーバと併せて）セルのチャネル品質を決定するため、ユーザ機器は“自セル”（すなわち、その時点でユーザ機器にサービス提供しているセル）上のユニキャストリファレンスシンボル及び隣接するセル上での測定を実行する。効率的にこれを行うためには、ユーザ機器は、所与のサブフレームにおいてどのリファレンスシンボルが利用可能であるかを知る必要がある。上述したように、非ＭＢＳＦＮサブフレームについてこれらリファレンスシンボルはユニキャストサブフレームあたり４回、すなわち各スロットの１番目及び最後から３番目のＯＦＤＭシンボルにおいて送信される。
【００２２】
しかしながら、同様に上述したように、ＭＢＳＦＮ動作を伴うサブフレームには第１スロットの第１リファレンスシンボルしか存在しないであろう。故に、ＭＢＳＦＮサブフレームにおけるユニキャストリファレンスシンボルの組を、非ＭＢＳＦＮサブフレームにおいて存在するユニキャストリファレンスシンボルのサブセットとして見ることが可能である。代わりに、非ＭＢＳＦＮサブフレームにおけるユニキャストリファレンスシンボルの組を、ＭＢＳＦＮサブフレームにおけるユニキャストリファレンスシンボルの組と比べて拡張された組として見ることが可能である。
【００２３】
故に、所与のセルのサブフレームが確実に非ＭＢＳＦＮサブフレームであるとユーザ機器が知っている場合を除いて、当該ユーザ機器は測定のために第１スロットの第１リファレンスシンボルしか使用することができず、これはこれらが全てのサブフレームのタイプ（すなわちＭＢＳＦＮ及び非ＭＢＳＦＮサブフレームの両方）において存在するリファレンスシンボルでしかないためである。同時に、第１スロットの第１リファレンスシンボル上のみでしか測定しないことは、測定の性能を低下させ、従って望ましくない。
【発明の概要】
【発明が解決しようとする課題】
【００２４】
故に、測定のためにこれらサブフレームのリファレンスシンボルの完全な組を利用できるようにするため、どのサブフレームが非ＭＢＳＦＮサブフレームであるか、ユーザ機器は好適には知っているべきである。自セルについて、この情報はユーザ機器に利用可能である。しかしながら、隣接するセル上での測定のためにこれらサブフレームのリファレンスシンボルの完全な組を利用できるようにするため、これら隣接するセルのどのサブフレームが非ＭＢＳＦＮサブフレームであるかをユーザ機器が知っていることも望ましいであろうことを発明者は認めている。
【課題を解決するための手段】
【００２５】
“含む”及び“含んでいる”という用語は、本明細書において使用されている場合、記述された特徴、整数値、ステップ又はコンポーネントの存在を特定するために用いられるが；これら用語の使用は、１以上の他の特徴、整数値、ステップ、コンポーネント、またはこれら一群の存在又は追加を除外するものではないことは強調されるべきである。
【００２６】
本発明の１つの観点によれば、前述の及び他の目的は、複数のサブフレームを含む無線フレームを含む無線インターフェイスを利用する無線通信システムにおける自セルのネットワーク装置（例えば、無線基地局）を動作させるための方法及び装置において達成される。上記自セルは１以上のユーザ機器にサービス提供している。そのような動作は、１以上の隣接するセルにおけるＭＢＭＳ（Multimedia  Broadcast  Multicast  Service）の単一周波数ネットワーク（ＭＢＳＦＮ）のデータ送信のスケジューリングに関する情報を取得するステップを含む。それによって取得された上記情報を使用して、所与のサブフレームについて、ＯＦＤＭ（Orthogonal  Frequency  Division  Multiple  access）シンボルのユニキャストグループを使用して隣接するセルの測定を実行することができるか否かを上記１以上のユーザ機器が決定することを可能とする情報信号が生成される。上記情報信号は、上記１以上のユーザ機器に送信される。
【００２７】
いくつかの実施形態において、上記所与のサブフレームは、第１及び第２スロットから成り；上記ＯＦＤＭシンボルのユニキャストグループは、上記第１及び第２スロットのそれぞれの１番目及び最後から３番目のＯＦＤＭシンボルから成る。
【００２８】
いくつかの実施形態において、上記ネットワーク装置は、ネットワークノード群の階層におけるノードであり；１以上の隣接するセルにおけるＭＢＳＦＮのデータ送信の上記スケジューリングに関する上記情報は、上記無線ネットワークにおける階層上の上位のノードから取得される。
【００２９】
他の実施形態において、１以上の隣接するセルにおけるＭＢＳＦＮのデータ送信の上記スケジューリングに関する上記情報は、隣接するセルの無線基地局から取得される。これは、例えば、Ｘ２インターフェイス上のシグナリングを介して行われ得る。
【００３０】
別の観点において、複数のサブフレームを含む無線フレームを含む無線インターフェイスを利用する無線通信システムのサービス提供セルに位置しているユーザ機器を動作させるための方法及び装置において、様々な目的が達成される。そのような動作は、所与のサブフレームについて、ＯＦＤＭ（Orthogonal  Frequency  Division  Multiple  access）シンボルのユニキャストグループを使用して隣接するセルの測定を実行することができるか否かを上記ユーザ機器が決定することを可能とする情報信号を、上記サービス提供セルのネットワーク装置から受信するステップを含む。上記受信した情報信号を使用して、上記隣接するセルによって送信される信号上での測定を実行する際、ユニキャスト測定モード及びＭＢＳＦＮ測定モードを含む複数の測定モードのうちのいずれにより上記ユーザ機器が動作するかを決定する。
【００３１】
これら実施形態のいくつかにおいて、上記所与のサブフレームは、第１及び第２スロットから成り；上記ＯＦＤＭシンボルのユニキャストグループは、上記第１及び第２スロットのそれぞれの１番目及び最後から３番目のＯＦＤＭシンボルから成り；ＯＦＤＭシンボルのＭＢＳＦＮグループは、上記第１スロットの上記１番目のＯＦＤＭシンボルから成る。
【００３２】
いくつかの実施形態において、上記測定のＭＢＳＦＮ測定モードは、上記所与のサブフレームにおける上記ＯＦＤＭシンボルのＭＢＳＦＮグループ上のみで測定を行うことを含む。
【００３３】
これら実施形態のいくつかにおいて、上記測定のＭＢＳＦＮ測定モードは、隣接するセルの測定が実行され得る最大許容帯域幅に関する情報を上記自セルから受信することと；上記最大許容帯域幅上で上記隣接するセルのＭＢＳＦＮサブフレームの測定を実行することと；を含む。
【００３４】
他の実施形態において、上記測定のＭＢＳＦＮ測定モードは、ＯＦＤＭシンボルのＭＢＳＦＮグループに上記隣接するセルの上記セル固有のリファレンスシンボルが位置しているいずれかの所与のサブフレームの期間において測定を行わないことを含む。
【００３５】
本発明の様々な観点は、無線通信システムにおける１以上のユーザ機器にサービス提供しているセルのネットワーク装置の内部において具現化できる。
【００３６】
本発明の他の観点は、無線通信システムのサービス提供セルに位置しているユーザ機器の内部において具現化できる。
【図面の簡単な説明】
【００３７】
本発明の目的及び利点は、以下の図面と併せて次の詳細な説明を読むことによって理解されるであろう：
【００３８】
【図１ａ】例えば３ＧのＬＴＥシステムにおいて使用される無線フレームの説明図である。
【図１ｂ】ダウンリンク送信についてのリソースエレメント／シンボルを示す一例としての時間／周波数グリッドである。
【図２】ＬＴＥシステムのようなシステムについての周波数（ｆ）及び時間（ｔ）次元における提案されたパイロット（リファレンスシンボル）パターンの図である。
【図３】ＬＴＥシステムのようなシステムにおけるＭＢＳＦＮ動作に関連する様々な概念の説明図である。
【図４】１５ｋＨｚのサブキャリア間隔について拡張サイクリックプレフィクス及び１８のサブキャリアを伴う、１つのサブフレームについてのＭＢＳＦＮリファレンスシンボルパターンを示している。
【図５】それぞれ本発明の観点を実行するように適応された、ｅＮｏｄｅＢ及びユーザ機器のブロック図である。
【図６ａ】それぞれ１つよりも多くのセルにわたる、２つのＭＢＳＦＮのカバレッジエリアを３つのセルが提供する、一例としての構成を示す図である。
【図６ｂ】セルが２つのＭＢＳＦＮエリアに参加することを可能とする、ＭＢＭＳサブフレームの時間多重化されたスケジューリングを示すタイミング図である。
【図７】本発明に従った実施形態の観点に係るｅＮｏｄｅＢ及びユーザ機器において様々に実行されるプロセス／ステップを示すフローチャートである。
【発明を実施するための形態】
【００３９】
以下に、本発明の様々な特徴を、図面を参照しながら説明する。その際、同様の部分は同じ参照符号を用いて特定される。
【００４０】
本発明の様々な観点は、複数の例となる実施形態に関連してより詳細にここで説明されるであろう。本発明の理解を促進するために、本発明の多くの観点は、コンピュータシステム又はプログラムされた命令を実行することが可能な他のハードウエアの構成要素によって遂行されるべきアクションのシーケンスとして説明される。実施形態のそれぞれにおいて、様々なアクションは、特殊な回路（例えば、特殊な機能を遂行するために相互接続された離散論理ゲート）によって、１以上のプロセッサによって、又は両者の組み合わせによって実行されるプログラム命令により遂行され得るということが認識されるであろう。さらに本発明は、全体として、ここに説明する技術をプロセッサに実行させる適当な組合せのコンピュータ命令を含むソリッドステートメモリ、磁気ディスク、又は光ディスクのような、コンピュータにより読取可能な担体のどういった形態によっても具現されると考えられ得る。そのため、本発明の様々な観点は多くの異なる形態で具現される可能性があり、全てのそうした形態は本発明の範囲内であることが意図される。本発明の様々な観点のそれぞれについて、そうした実施形態の任意の形は、説明されるアクションを遂行する“ように構成されたロジック”、又はその代わりに、説明されるアクションを遂行する“ロジック”とここでは言及され得る。
【００４１】
本発明に従った実施形態の観点において、隣接するセルの動作モードの候補のそれぞれ（例えば、ユニキャスト、及びユーザ機器のサービス提供セル自身のＭＢＳＦＮエリア以外のＭＢＳＦＮエリアにおけるＭＢＳＦＮを含む）について、隣接するセルの測定（例えば、ハンドオーバのための測定）のために、ユーザ機器が適当なリファレンスシンボルを取得することができるメカニズムを、ある方法及び構成は提供する。これは、サービス提供セル自身のＭＢＳＦＮエリア以外のＭＢＳＦＮエリアに属する１以上のスケジューリングされたＭＢＳＦＮ送信が存在する場合に関する情報の、サービス提供セルによるユーザ機器へのシグナリングを含む。
【００４２】
本発明に従った実施形態の別の観点において、そのようなＭＢＳＦＮ送信に関する情報にユーザ機器は予め定義された方法で応答することが可能である。例えば、隣接するセルによるＭＢＳＦＮ送信が行われる際、ユーザ機器は、ＭＢＳＦＮサブフレームに存在する削減された数のセル固有のリファレンスシンボル上でのみ測定を実行することが可能である。他の例として、例えばＭＢＳＦＮ送信を伴うようなあるサブフレーム群の期間において、ユーザ機器がいずれかの測定をしないようにすることが可能である。
【００４３】
さらに別の観点において、サービス提供セルのＭＢＳＦＮエリアにおけるＭＢＳＦＮ送信はＵＥにも知られるであろうことにより、セル内及びセル間の両方の測定を同じ方法で行うことが可能である。
【００４４】
ＭＢＳＦＮのデータ送信を伴うサブフレームにおけるセル固有の削減された数のリファレンスシンボル上で測定をするようにユーザ機器が命令される代替的な方法について、本発明の実施形態は、それら測定のために、測定が行われる帯域幅の増加を引き起こす。これは、各測定サンプルにおいてより多くのエネルギーを集めることを目的として行われる。ユーザ機器が最小限よりも大きい帯域幅にわたって測定をすべきである場合、測定することがユーザ機器に許容される最大帯域幅がいくらであるかを、ネットワークはユーザ機器に知らせるべきである。いくつかのシステムにおいて、この最大帯域幅は、サービス提供セルの帯域幅の最小値及び潜在的目標セル（potential  target  cell）の最小帯域幅と同じか又はそれ以下であろう。他の実施形態において、潜在的目標セルの帯域幅がサービス提供セルの帯域幅よりも大きい場合、ユーザ機器はより大きい帯域幅にわたって測定することを許容されてもよい。
【００４５】
ｅＮｏｄｅＢが上述の情報信号（すなわち、どのように測定パターンを構成するか、つまり、ユーザ機器は異なるサブフレームにおいてどのように測定すべきであるかをユーザ機器が決定するために、ユーザ機器によって使用される情報信号）をユーザ機器へシグナリングするために、ｅＮｏｄｅＢはｅＮｏｄｅＢ自身のＭＢＳＦＮエリアに関連付けられていないＭＢＳＦＮ送信の、例えばスケジューリングに関する情報を取得しなければならない。本発明に従ったいくつかの実施形態の観点において、（ノード群の階層におけるノードである）ｅＮｏｄｅＢは、ＭＢＳＦＮのスケジューリングの責任を有する階層上のより上位のノードから、この情報を取得する。他の実施形態においてｅＮｏｄｅＢは、例えばＸ２インターフェイス上のシグナリングを介して、隣接するｅＮｏｄｅＢからこの情報を取得する。
【００４６】
ここで図５、６ａ、６ｂ、及び７に関連して、上の及び他の観点をさらに説明する。図５は、それぞれ本発明の観点を実行するよう適応されている第１のｅＮｏｄｅＢ５０１及びユーザ機器（ＵＥ）５０３のブロック図である。この説明図においてｅＮｏｄｅＢ５０１は、ユーザ機器５０３が位置するセルにサービスを提供する。隣接するセルは第２のｅＮｏｄｅＢ５０５によってサービス提供される。
【００４７】
第１及び第２のｅＮｏｄｅＢ５０１、５０５が一部を成す無線通信システムは、そのｅＮｏｄｅＢによるＭＢＳＦＮ送信を可能とするが要求することはない。その結果、いかなる所与の時間においても第１のｅＮｏｄｅＢ５０１は、第１のＭＢＳＦＮエリア５０７においてアクティブであってもなくてもよい。同様に、いかなる所与の時間においても第２のｅＮｏｄｅＢ５０５は、第２のＭＢＳＦＮエリア５０９においてアクティブであってもなくてもよい。この例に関係があるのは、第１及び第２のＭＢＳＦＮエリア５０７、５０９は同じではないことである。このことは、第１のＭＢＳＦＮエリア５０７に参加することは第２のＭＢＳＦＮエリア５０９に参加することと同じではなく、逆もまた同様であることを意味する。他の例において、第１及び第２のｅＮｏｄｅＢ５０１、５０５は同じＭＢＳＦＮエリア（示されていない）に参加することが可能であり、この場合において、第１のｅＮｏｄｅＢの自分の送信パターン（すなわち、任意の所与のサブフレームにおけるユニキャスト対ＭＢＳＦＮ送信）についての知識は、定義によれば、第２のｅＮｏｄｅＢの送信パターンをも与えるであろう。しかしながら、これはこの例におけるケースではない。
【００４８】
２つより多くのセルが関与している場合、状況は少々複雑になる。図６ａは、第１のｅＮｏｄｅＢ６０１、第２のｅＮｏｄｅＢ６０３、及び第３のｅＮｏｄｅＢ６０５を含む、１つのそのような例を示す。第１のｅＮｏｄｅＢ６０１はセルＡにサービス提供し、第２のｅＮｏｄｅＢ６０３はセルＢにサービス提供し、及び第３のｅＮｏｄｅＢ６０５はセルＣにサービス提供する。この例において、３つのセルのそれぞれは他の２つに隣接している。
【００４９】
さらにこの例において、２つのＭＢＭＳサービスが提供される：一方のＭＢＭＳサービスはセルＡ及びセルＢ（ＭＢＳＦＮエリア１）をカバーしており、第２のＭＢＭＳサービスはセルＢ及びセルＣ（ＭＢＳＦＮエリア２）をカバーしている。セルＢは両方のＭＢＭＳサービスに参加していることが観測されるであろう。このことを可能とするため、２つのＭＢＳＦＮサービスが時間多重化される（すなわち異なるサブフレームにおいて送信される）ことが必要である。図６ｂはこのタイプのスケジューリングを示す。見て分かるように、ＭＢＳＦＮエリア１についてのＭＢＳＦＮサブフレームは、ＭＢＳＦＮエリア２についてのＭＢＳＦＮサブフレームと同時に発生することはない。この例において、常に３つの可能性が存在する：セルＡ及びセルＢはＭＢＳＦＮエリア１についてのＭＢＳＦＮ送信に従事することが可能であり、一方セルＣは（例えば、時間ｔ１において）ユニキャスト送信に従事する；セルＡ、セルＢ及びセルＣは（例えば、時間ｔ２において）ユニキャスト送信にそれぞれ従事することが可能である；セルＡはユニキャスト送信に従事することが可能であり、一方セルＢ及びセルＣは（例えば、時間ｔ３において）ＭＢＳＦＮエリア２についてのＭＢＳＦＮ送信に従事する。
【００５０】
この説明図は、１以上の隣接するセルのセル固有のリファレンスシンボルがＯＦＤＭ（Orthogonal  Frequency  Division  Multiple  access）シンボルのユニキャストグループに位置しているか否かをＵＥが決定することを可能とする情報を有することは、これら３つのセルのうち任意の１つにおいて動作するＵＥの観点から有用であろうことを示している。なぜなら、その問いへの肯定的な返答は、ユーザ機器がＯＦＤＭシンボルのユニキャストグループを使用して隣接するセルの測定を実行することを可能とするだろうからである。
【００５１】
図７は、ｅＮｏｄｅＢ（例えば、ｅＮｏｄｅＢ  Ｂ５０１、５０３、６０１、６０３、６０５のいずれか）及びユーザ機器（例えば、ユーザ機器５０３）において様々に実行されるプロセス／ステップを示すフローチャートである。図７及び依然として図５を、限定ではない一例として使用するために参照すると、第１のｅＮｏｄｅＢ５０１が、自セルのＭＢＳＦＮエリアに関連付けられていないものも含む、ＭＢＳＦＮのデータ送信のスケジューリングに関する情報を取得することによって、局面は打開される（ステップ７０１）。この情報は、複数ある方法のうちのいずれでも取得することが可能である。例えば、ｅＮｏｄｅＢ５０１は、ネットワークノード群の階層を含む無線通信システムにおけるネットワーク装置である。ｅＮｏｄｅＢ５０１は、自身のＭＢＳＦＮエリア５０７に関連付けられていないＭＢＳＦＮのデータ送信のスケジューリングに関する情報（例えば、第２のＭＢＳＦＮエリア５０９に関連付けられたＭＢＳＦＮのデータ送信に関する情報）を、無線ネットワークにおける階層上のより上位のノード５１１から取得することが可能である。
【００５２】
他の実施形態において、第１のｅＮｏｄｅＢ５０１は、自身のＭＢＳＦＮエリア５０７に関連付けられていないＭＢＳＦＮのデータ送信のスケジューリングに関する情報（例えば、第２のＭＢＳＦＮエリア５０９に関連付けられたＭＢＳＦＮのデータ送信に関する情報）を、隣接するセルの無線基地局（例えば、第２のｅＮｏｄｅＢ５０５）から取得する。この通信は、例えば、Ｘ２インターフェイス５１３を介して行われ得る。
【００５３】
その結果、第１のｅＮｏｄｅＢ５０１は、自身のＭＢＳＦＮエリア（例えば、１つであれば、第１のＭＢＳＦＮエリア５０７）と関連付けられていないＭＢＳＦＮのデータ送信のスケジューリングに関する情報を使用し、所与のサブフレームについて、隣接するセルの測定（例えば、第２のｅＮｏｄｅＢ５０５によってサービス提供されているセルからの信号の測定）がセル固有のリファレンスシンボルのユニキャストグループ上で行われ得るか否かをユーザ機器５０３へ知らせる情報信号５１５を生成する（ステップ７０３）。このようにして情報信号は、ユーザ機器に測定パターン（すなわち、ユーザ機器が異なるサブフレームにおいてどのように測定をすべきかの指示）を提供する。信号は、例えば、サービス提供セルのＭＢＳＦＮエリア以外のＭＢＳＦＮエリアに属する隣接セルからの１以上のスケジューリングされたＭＢＳＦＮ送信がある場合、ユーザ機器５０３にこれらサブフレームを知らせる情報内容を有する信号を作り出すことによって、生成され得る。その後ｅＮｏｄｅＢ５０１は、自身がサービスを提供しているセルのユーザ機器（例えば、ユーザ機器５０３）に情報信号５１５を送信する（ステップ７０５）。
【００５４】
その後、ユーザ機器５０３は、情報信号５１５を受信し（ステップ７０７）、隣接セルによって送信される信号上での測定を実行する際に、ユーザ機器が動作しようとする複数の測定モードの１つを、当該情報信号５１５を使用して決定する（判定ブロック７０９）。当該複数の測定モードは、ユニキャスト測定モード及びＭＢＳＦＮ測定モードを含む。
【００５５】
隣接セル（例えば、第２のｅＮｏｄｅＢ５０５）のサブフレームが、ユニキャストサブフレームとして設定されている場合（判定ブロック７０９からの“ユニキャスト”パス）、ユーザ機器５０３は隣接セル（例えば、第２のｅＮｏｄｅＢ５０５）の測定を（ここでは“ユニキャスト測定モード”と表示されている）従来の方法で実行するが（ステップ７１１）、当該方法には、隣接セルのセル固有のリファレンスシンボルがサブフレームの第１及び第２スロットのそれぞれの１番目及び最後から３番目のＯＦＤＭシンボルに位置していることの想定が含まれる。
【００５６】
一方、隣接セル（例えば、第２のｅＮｏｄｅＢ５０５）のサブフレームが、ＭＢＳＦＮサブフレームとして設定されている場合（判定ブロック７０９からの“ＭＢＳＦＮ”パス）、ユーザ機器５０３は隣接セル（例えば、第２のｅＮｏｄｅＢ５０５）の測定を（ここでは“ＭＢＳＦＮ測定モード”と表示されている）あるモードで実行し（ステップ７１３）、当該モードは、隣接セルのセル固有のリファレンスシンボルがＯＦＤＭシンボルのＭＢＳＦＮグループ（例えば、ＬＴＥシステムにおいてＯＦＤＭシンボルのＭＢＳＦＮグループはＭＢＳＦＮサブフレームの第１スロットの１番目のＯＦＤＭシンボルである）にしか位置しないという事実を考慮に入れている。
【００５７】
いくつかの実施形態において、ＭＢＳＦＮ測定モードで隣接するセルの測定を実行することは、所与のサブフレームにおけるＯＦＤＭシンボルのＭＢＳＦＮグループ上でのみ測定することを含む（すなわち、第１又は第２スロットの最後から３番目のＯＦＤＭシンボル上での測定を行わず、第２スロットの１番目のＯＦＤＭシンボル上での測定も行わない）。
【００５８】
必ずしもこれら全てのというわけではないが、いくつかの実施形態において、ユーザ機器５０３は測定の数を減らす代償に測定の帯域幅を増加させる。測定の最大許容帯域幅に関する情報は、自セルによって好適にユーザ機器へ提供される。
【００５９】
他の実施形態において、ＭＢＳＦＮ測定モードでの隣接セルの測定の実行は、隣接セルのセル固有のリファレンスシンボルがＯＦＤＭシンボルのＭＢＳＦＮグループに位置しているいずれかの所与のサブフレームの期間において測定を行わないことを含む。これはユーザ機器５０３が、セル固有のリファレンスシンボルがＯＦＤＭシンボルのユニキャストグループ（例えば、ＬＴＥシステムにおいては、サブフレームの第１及び第２スロットそれぞれの１番目及び最後から３番目のＯＦＤＭシンボル）に位置しているサブフレームのみにその測定を制限していることを意味する。
【００６０】
本発明の利点は、ＭＢＳＦＮ送信を伴うＬＴＥ無線アクセスネットワークにおいて、ハンドオーバに関連するユーザ機器の隣接セルの測定が、隣接セルがＭＢＳＦＮ送信に従事しているか否かに関わらず、利用可能なユニキャストリファレンスシンボルのみ測定することを確保するであろうことである。これは測定をより正確かつ無難にし、よってハンドオーバを促進し、呼の欠落のリスクを減らす。
【００６１】
本発明は、特定の実施形態を参照して説明された。しかしながら、上述された実施形態以外の固有の形態で本発明を具現することが可能であることは、当業者には容易に明らかであろう。説明された実施形態は例示に過ぎず、決して限定的なものとみなされるべきではない。本発明の範囲は、先行する説明よりもむしろ、添付の特許請求の範囲によって与えられ、特許請求の範囲内に収まるすべての変形及び均等物は、ここに包含されることが意図される。
【図１ａ】
2010524294.tif 000003
【図１ｂ】
2010524294.tif 000004
【図２】
2010524294.tif 000005
【図３】
2010524294.tif 000006
【図４】
2010524294.tif 000007
【図５】
2010524294.tif 000008
【図６ａ】
2010524294.tif 000009
【図６ｂ】
2010524294.tif 000010
【図７】
2010524294.tif 000011
【手続補正書】
【提出日】平成21年6月8日(2009.6.8)
【手続補正１】
【補正対象書類名】明細書
【補正対象項目名】００５１
【補正方法】変更
【補正の内容】
【００５１】
図７は、ｅＮｏｄｅＢ（例えば、ｅＮｏｄｅＢ５０１、５０５、６０１、６０３、６０５のいずれか）及びユーザ機器（例えば、ユーザ機器５０３）において様々に実行されるプロセス／ステップを示すフローチャートである。図７及び依然として図５を、限定ではない一例として使用するために参照すると、第１のｅＮｏｄｅＢ５０１が、自セルのＭＢＳＦＮエリアに関連付けられていないものも含む、ＭＢＳＦＮのデータ送信のスケジューリングに関する情報を取得することによって、局面は打開される（ステップ７０１）。この情報は、複数ある方法のうちのいずれでも取得することが可能である。例えば、ｅＮｏｄｅＢ５０１は、ネットワークノード群の階層を含む無線通信システムにおけるネットワーク装置である。ｅＮｏｄｅＢ５０１は、自身のＭＢＳＦＮエリア５０７に関連付けられていないＭＢＳＦＮのデータ送信のスケジューリングに関する情報（例えば、第２のＭＢＳＦＮエリア５０９に関連付けられたＭＢＳＦＮのデータ送信に関する情報）を、無線ネットワークにおける階層上のより上位のノード５１１から取得することが可能である。
【手続補正書】
【提出日】平成21年7月2日(2009.7.2)
【手続補正１】
【補正対象書類名】特許請求の範囲
【補正対象項目名】全文
【補正方法】変更
【補正の内容】
【特許請求の範囲】
【請求項１】
無線フレーム（１００）を含む無線インターフェイスを利用する無線通信システムにおける自セルのネットワーク装置（５０１）を動作させる方法であって、各無線フレーム（１００）は複数のサブフレームを含み、前記自セルは１以上のユーザ機器（５０３）にサービス提供しており、当該方法は：
１以上の隣接するセルにおけるＭＢＭＳ（Multimedia  Broadcast  Multicast  Service）の単一周波数ネットワーク（ＭＢＳＦＮ）のデータ送信のスケジューリングに関する情報を取得するステップ（７０１）と；
前記１以上の隣接するセルにおけるＭＢＳＦＮのデータ送信の前記スケジューリングに関する前記情報を使用して、所与のサブフレームについて、ユニキャスト測定動作モード（７１１）の手段又はＭＢＳＦＮ測定動作モード（７１３）の手段のいずれによって隣接するセルの測定を実行することができるかを前記１以上のユーザ機器（５０３）が決定することを可能とする情報信号を生成するステップと；
前記１以上のユーザ機器（５０３）に前記情報信号を送信するステップ（７０５）と；
を特徴とし：
前記ユニキャスト測定動作モード（７１１）は、ユニキャストサブフレームに含まれるセル固有のリファレンスシンボルを測定の基礎とするよう適応されており；
前記ＭＢＳＦＮ測定動作モード（７１３）は、ＭＢＳＦＮサブフレームに含まれるセル固有のリファレンスシンボルを測定の基礎とするよう適応されており；
前記ユニキャストサブフレームに含まれる前記セル固有のリファレンスシンボルは、前記ＭＢＳＦＮサブフレームにおける前記セル固有のリファレンスシンボルの組に比べて拡張された組である、
方法。
【請求項２】
前記所与のサブフレームは、第１及び第２スロットから成り；
前記ユニキャストサブフレームに含まれる前記セル固有のリファレンスシンボルは、前記第１及び第２スロットのそれぞれの１番目及び最後から３番目のＯＦＤＭシンボルに含まれるセル固有のリファレンスシンボルから成り；
前記ＭＢＳＦＮサブフレームに含まれる前記セル固有のリファレンスシンボルは、前記第１スロットの前記１番目のＯＦＤＭシンボルに含まれるセル固有のリファレンスシンボルから成る；
請求項１に記載の方法。
【請求項３】
前記ネットワーク装置（５０１）は、ネットワークノード群の階層におけるノードであり；
１以上の隣接するセルにおけるＭＢＳＦＮのデータ送信の前記スケジューリングに関する前記情報を取得するステップ（７０１）は、前記無線ネットワークにおける階層上の上位のノード（５１１）から、１以上の隣接するセルにおけるＭＢＳＦＮのデータ送信の前記スケジューリングに関する前記情報を取得することを含む；
請求項１又は請求項２のいずれか１項に記載の方法。
【請求項４】
前記ネットワーク装置（５０１）は、無線基地局である、請求項１〜３のいずれか１項に記載の方法。
【請求項５】
１以上の隣接するセルにおけるＭＢＳＦＮのデータ送信の前記スケジューリングに関する前記情報を取得するステップ（７０１）は、隣接するセル（５１３）の無線基地局から、１以上の隣接するセルにおけるＭＢＳＦＮのデータ送信の前記スケジューリングに関する前記情報を取得することを含む、請求項１又は請求項２のいずれか１項に記載の方法。
【請求項６】
前記隣接するセル（５１３）の前記無線基地局から、１以上の隣接するセルにおけるＭＢＳＦＮのデータ送信の前記スケジューリングに関する前記情報を取得すること（７０１）は、Ｘ２インターフェイス上のシグナリングを使用することを含む、請求項５に記載の方法。
【請求項７】
無線フレーム（１００）を含む無線インターフェイスを利用する無線通信システムのサービス提供セルに位置しているユーザ機器（５０３）を動作させる方法であって、各無線フレーム（１００）は複数のサブフレームを含み、当該方法は：
所与のサブフレームについて、ユニキャスト測定動作モード（７１１）の手段又はＭＢＳＦＮ測定動作モード（７１３）の手段のいずれによって隣接するセルの測定を実行することができるかを前記ユーザ機器（５０３）が決定することを可能とする情報信号を、前記サービス提供セルのネットワーク装置（５０１）から受信するステップ（７０７）と；
前記受信した情報信号を使用して、前記隣接するセルによって送信される信号上での測定を実行する際、前記ユニキャスト測定動作モード（７１１）及び前記ＭＢＳＦＮ測定動作モード（７１３）を含む複数の測定動作モードのうちのいずれにより前記ユーザ機器が動作するかを決定するステップ（７０９）と；
を特徴とし：
前記ユニキャスト測定動作モード（７１１）は、ユニキャストサブフレームに含まれるセル固有のリファレンスシンボルを測定の基礎とするよう適応されており；
前記ＭＢＳＦＮ測定動作モード（７１３）は、ＭＢＳＦＮサブフレームに含まれるセル固有のリファレンスシンボルを測定の基礎とするよう適応されており；
前記ユニキャストサブフレームに含まれる前記セル固有のリファレンスシンボルは、前記ＭＢＳＦＮサブフレームにおける前記セル固有のリファレンスシンボルの組に比べて拡張された組である、
方法。
【請求項８】
前記所与のサブフレームは、第１及び第２スロットから成り；
前記ユニキャストサブフレームに含まれる前記セル固有のリファレンスシンボルは、前記第１及び第２スロットのそれぞれの１番目及び最後から３番目のＯＦＤＭシンボルに含まれるセル固有のリファレンスシンボルから成り；
前記ＭＢＳＦＮサブフレームに含まれる前記セル固有のリファレンスシンボルは、前記第１スロットの前記１番目のＯＦＤＭシンボルに含まれるセル固有のリファレンスシンボルから成る；
請求項７に記載の方法。
【請求項９】
前記ＭＢＳＦＮ測定動作モードは、前記所与のサブフレームが前記ＭＢＳＦＮサブフレームである場合、前記所与のサブフレームに含まれる前記セル固有のリファレンスシンボル上のみで測定を行うことを含む、
請求項８に記載の方法。
【請求項１０】
前記ＭＢＳＦＮ測定動作モードは、隣接するセルの測定が実行され得る最大許容帯域幅に関する情報を前記自セルから受信することと；
前記最大許容帯域幅上で前記隣接するセルのＭＢＳＦＮサブフレームの測定を実行することと；
を含む、請求項８に記載の方法。
【請求項１１】
測定の前記ＭＢＳＦＮ測定モードは、前記所与のサブフレームが前記ＭＢＳＦＮサブフレームである場合、前記所与のサブフレームの期間において測定を行わないことを含む、請求項７及び請求項８のいずれか１項に記載の方法。
【請求項１２】
無線通信システムにおけるセルのネットワーク装置であって、前記セルは１以上のユーザ機器にサービス提供し、当該ネットワーク装置は、請求項１〜６のいずれか１項に従った前記方法を実行するための手段を含むことを特徴とする、ネットワーク装置。
【請求項１３】
請求項７〜１１のいずれか１項に従った前記方法を実行するための手段を含むことを特徴とする、無線通信システムのサービス提供セルに位置するユーザ機器。
【国際調査報告】
2010524294.tif 000012
2010524294.tif 000013
2010524294.tif 000014